(57)【特許請求の範囲】
【請求項１】
第１のデバイスに依存した第１の色空間と該第１の色空間と同じ次元の同次元色空間との間の座標変換を所定の第１形式で定義した第１のパラメータと、該同次元色空間と第２のデバイスに依存した第２の色空間との間の座標変換を所定の第２形式で定義した第２のパラメータとの提供を受けて、該第１の色空間で色が定義された入力画像データを該第２の色空間で色が定義された出力画像データに変換する色変換装置に、該第１のパラメータと該第２のパラメータとを提供するパラメータ提供装置において、
前記第１の色空間と前記第２の色空間との間の直接的な座標変換を定義した直接パラメータを取得するパラメータ取得部と、
前記第１の色空間の座標の恒等変換を前記第１形式で定義した恒等パラメータを前記色変換装置に前記第１のパラメータとして提供する第１の提供部と、
前記パラメータ取得部で取得された直接パラメータの形式を前記第２形式に変換し、その変換した直接パラメータを前記色変換装置に前記第２のパラメータとして提供する第２の提供部とを備えたことを特徴とするパラメータ提供装置。
【請求項２】
複数の直接パラメータのうち１つの直接パラメータを操作に応じて選択する直接パラメータ選択部を備え、
前記パラメータ取得部は、前記直接パラメータ選択部で選択された直接パラメータを取得するものであることを特徴とする請求項１記載のパラメータ提供装置。
【請求項３】
前記第１の色空間と、該第１の色空間と同じ次元であってデバイスに非依存な第３の色空間との間の座標変換を定義した第３のパラメータを操作に応じて選択する第３パラメータ選択部と、
前記第３の色空間と前記第２の色空間との間の座標変換を定義した第４のパラメータを操作に応じて選択する第４パラメータ選択部と、
前記第３パラメータ選択部で設定された第３パラメータと、前記第４パラメータ選択部で設定された第４パラメータとに基づいて前記直接パラメータを生成する直接パラメータ生成部とを備え、
前記パラメータ取得部は、前記直接パラメータ生成部で生成された直接パラメータを取得するものであることを特徴とする請求項１記載のパラメータ提供装置。
【請求項４】
第１のデバイスに依存した第１の色空間と該第１の色空間と同じ次元の同次元色空間との間の座標変換を所定の第１形式で定義した第１のパラメータの提供を受ける第１の受付部と、
前記同次元色空間と第２のデバイスに依存した第２の色空間との間の座標変換を所定の第２形式で定義した第２のパラメータとの提供を受ける第２の受付部と、
前記第１の受付部が提供を受けたパラメータを使って、前記第１の色空間で色が定義された入力画像データを前記同次元色空間で色が定義された中間画像データに変換する第１の色変換部と、
前記第２の受付部が提供を受けたパラメータを使って、前記中間画像データを前記第２の色空間で色が定義された出力画像データに変換する第２の色変換部と、
前記第１の色空間と前記第２の色空間との間の直接的な座標変換を定義した直接パラメータを取得するパラメータ取得部と、
前記第１の色空間の座標の恒等変換を前記第１形式で定義した恒等パラメータを前記第１の受付部に前記第１のパラメータとして提供する第１の提供部と、
前記パラメータ取得部で取得された直接パラメータの形式を前記第２形式に変換し、その変換した直接パラメータを前記第２の受付部に前記第２のパラメータとして提供する第２の提供部とを備えたことを特徴とする色変換システム。
【請求項５】
コンピュータ内で実行され、該コンピュータ上で、第１のデバイスに依存した第１の色空間と該第１の色空間と同じ次元の同次元色空間との間の座標変換を所定の第１形式で定義した第１のパラメータと、該同次元色空間と第２のデバイスに依存した第２の色空間との間の座標変換を所定の第２形式で定義した第２のパラメータとの提供を受けて、該第１の色空間で色が定義された入力画像データを該第２の色空間で色が定義された出力画像データに変換する色変換装置に、該第１のパラメータと該第２のパラメータとを提供するパラメータ提供装置を構築するパラメータ提供プログラムにおいて、
前記第１の色空間と前記第２の色空間との間の直接的な座標変換を定義した直接パラメータを取得するパラメータ取得部と、
前記第１の色空間の座標の恒等変換を前記第１形式で定義した恒等パラメータを前記色変換装置に前記第１のパラメータとして提供する第１の提供部と、
前記パラメータ取得部で取得された直接パラメータの形式を前記第２形式に変換し、その変換した直接パラメータを前記色変換装置に前記第２のパラメータとして提供する第２の提供部とを構築することを特徴とするパラメータ提供プログラム。
【請求項６】
コンピュータ内で実行され、該コンピュータ上で、
第１のデバイスに依存した第１の色空間と該第１の色空間と同じ次元の同次元色空間との間の座標変換を所定の第１形式で定義した第１のパラメータの提供を受ける第１の受付部と、
前記同次元色空間と第２のデバイスに依存した第２の色空間との間の座標変換を所定の第２形式で定義した第２のパラメータとの提供を受ける第２の受付部と、
前記第１の受付部が提供を受けたパラメータを使って、前記第１の色空間で色が定義された入力画像データを前記同次元色空間で色が定義された中間画像データに変換する第１の色変換部と、
前記第２の受付部が提供を受けたパラメータを使って、前記中間画像データを前記第２の色空間で色が定義された出力画像データに変換する第２の色変換部と、
前記第１の色空間と前記第２の色空間との間の直接的な座標変換を定義した直接パラメータを取得するパラメータ取得部と、
前記第１の色空間の座標の恒等変換を前記第１形式で定義した恒等パラメータを前記第１の受付部に前記第１のパラメータとして提供する第１の提供部と、
前記パラメータ取得部で取得された直接パラメータの形式を前記第２形式に変換し、その変換した直接パラメータを前記第２の受付部に前記第２のパラメータとして提供する第２の提供部とを構築することを特徴とする色変換プログラム。
【発明の詳細な説明】
【技術分野】
【０００１】
本発明は、相互に異なる色空間の間の座標変換を定義したパラメータを色変換装置に提供するパラメータ提供装置、およびパラメータ提供プログラム、パラメータの提供を受けて、そのパラメータを使って入力画像データを出力画像データに変換する色変換システム、および色変換プログラムに関する。
【背景技術】
【０００２】
従来、画像入力装置で原画像を読み取って画像データを取得し、画像出力装置で画像データに基づいて画像を出力する画像入出力システムが知られている。
【０００３】
画像入力装置は、画像に光を照射することによって、画像をＲ（レッド）、Ｇ（グリーン）、Ｂ（ブルー）それぞれの色成分ごとに読み取るものが一般的であり、このような画像入力装置では、ＲＧＢ色空間の入力画像データが得られる。一方、画像出力装置は、Ｃ（シアン）、Ｍ（マゼンタ）、Ｙ（イエロー）、Ｋ（黒）の色材を使って画像を形成するものが多く、このような画像出力装置では、ＣＭＹＫ色空間の出力画像データに基づいて画像が出力される。このように、装置によって使用される色空間が異なったり、同じ色空間上の同じ値の画像データであっても、装置の種類や機差などによって表現される色が微妙に異なることがある。つまり、上述したＲＧＢ色空間やＣＭＹＫ色空間は装置に依存した色空間であり、画像入力装置で得られた入力画像データをそのまま用いて画像出力装置で画像を出力しても、画像入力装置で入力される原画像の色と画像出力装置で出力される画像の色とは一般には一致しない。したがって、画像出力装置で原画像を再現しようとしたとき、画像入力装置で得られた画像データをそのまま画像出力装置に送るのではなく、画像入力装置と画像出力装置で画像データを変換する必要がある。ここでは、画像の色に着目しており、この画像データの変換を色変換と称する。
【０００４】
色変換を行うにあたっては、装置には依存しない共通色空間、例えば、Ｌ＊ａ＊ｂ＊色空間等を中間に置き、画像入力装置に依存した入力色空間（例えば、ＲＧＢ色空間）の画像データを共通色空間の画像データに変換し、変換後の共通色空間の画像データを、画像出力装置に依存した出力色空間（例えば、ＣＭＹＫ色空間）の画像データに変換するという手法が一般的に採用されている。また、通常は、画像入力装置を製造しているメーカーから、入力色空間の画像データと共通色空間の画像データとが対応付けられた入力プロファイルが提供され、画像出力装置を製造しているメーカーから、出力色空間の画像データと共通色空間の画像データとが対応付けられた出力プロファイルが提供される。画像入力装置と画像出力装置との間に設けられる色変換装置では、画像入力装置で原画像が読み取られて得られた入力色空間の画像データが入力プロファイルに従って共通色空間の画像データに変換され、さらに、出力プロファイルにおいてその共通色空間の画像データと対応付けられた出力色空間の画像データが取得される。取得された出力色空間の画像データが画像出力装置に送られて、その画像データに基づいて画像出力装置で画像が出力されることによって、色調変換の度合いなどを手動で微調整する手間が省かれ、熟練した技術を有していないオペレータでも、原画像の色が精度良く再現された画像を容易に得ることができる。尚、このような色変換は、ある画像出力装置用の画像データを別の画像出力装置に流用するときにも有効であり、上述した入力色空間や入力プロファイルは、装置のタイプに関わらず、色変換の前半で用いられるものを意味することも多い。
【０００５】
ところで、印刷の分野においては、入力画像データが表わす画像がそのまま画像出力装置で出力されるのではなく、オペレータによって、入力画像データが表わす画像や文字などで構成されるページが編集され、そのページを表わすページデータに基づいて印刷画像が出力されることが一般的である。ページデータは、ページのイメージが、そのページを構成する文字や画像といった部品集合で表現されたものであり、各部品を表わすデータの集合で構成されている。このようなページデータを構成する画像データには、例えば、スキャナで読み取られた画像を表わす、スキャナに依存したＲＧＢ色空間で色が表現された画像データや、デジタルカメラで被写体が撮影された撮影画像を表わす、デジタルカメラに依存したＲＧＢ色空間で色が表現された画像データなど、様々な入力色空間の画像データが混在している。また、ページデータを記述するページ記述言語においては、ＰＳ（Ｐｏｓｔ  Ｓｃｒｉｐｔ）が事実上の標準となっており、ＰＳの言語仕様では、上述した入力プロファイルおよび出力プロファイルに相当する各種パラメータを定義する形式が予め決められている。ＰＳで記述された指示を実行可能な色変換装置では、オペレータによって、ＰＳの言語仕様に合った形式で定義された各種パラメータが指定されると、それら各種パラメータを使ってページデータが出力画像データに色変換される。
【０００６】
図１は、ページデータを出力画像データに変換する色変換機能の概要を示す図である。
【０００７】
上述したように、ページデータは、様々な入力色空間の画像データの集合で構成されている。この図１では、それら複数の入力色空間の画像データを代表して、１つの入力色空間（ＲＧＢ色空間）の画像データに対する色変換処理について説明する。
【０００８】
図１に示すＣＩＥＢａｓｅｄＡＢＣパラメータ１０は、上述した入力プロファイルに相当するパラメータであり、入力色空間（ＲＧＢ色空間）の画像データと、共通色空間（ＸＹＺ色空間）の画像データとの対応関係が所定の形式で定義されている。ＣＲＤ（カラーレンダリング辞書）パラメータ１１は、上述した出力プロファイルに相当するパラメータであり、共通色空間の画像データと出力色空間（ＣＭＹＫ色空間）の画像データとの対応関係が所定の形式で定義されている。
【０００９】
図１に示す例では、ＲＧＢ色空間の画像データが、ＣＩＥＢａｓｅｄＡＢＣパラメータ１０に基づいてＸＹＺ色空間の画像データに変換され、さらに、ＸＹＺ色空間の画像データが、ＣＲＤパラメータ１１に基づいてＣＭＹＫ色空間の画像データに変換される。この色変換機能を利用することによって、オペレータは、ＣＩＥＢａｓｅｄＡＢＣパラメータ１０、およびＣＲＤパラメータ１１を指定するだけで、ＰＳで記述されたページデータを容易に出力画像データに変換することができる。
【００１０】
しかし、画像出力装置で表現できる色再現領域（以下では、出力ガマットと称する）は、画像入力装置で表現できる色再現領域（以下では、入力ガマットと称する）よりも狭いことが一般的であり、図１に示すように、「等色」という点にのみ着目して単純に色変換を行ってしまうと、出力ガマットの境界付近の色がつぶれてしまい、色の調子が不連続になってしまう。
【００１１】
この問題に関し、入力色空間の色のうち、入力ガマットと出力ガマットとの共通領域内の色は、「等色」を重視して出力色空間の色に変換し、共通領域外の色は、「色の階調」を重視して出力色空間の色に変換する技術が知られている（例えば、特許文献１参照）。この技術によると、入力色空間の色が直接に出力色空間の色と対応付けられるため、色の調子の不連続性や、不自然な印象の画像となってしまうというなどといった不都合を軽減することができるうえ、色変換処理にかかる処理時間を減少させることができる。
【特許文献１】特開２００４−３４９８３８号公報
【発明の開示】
【発明が解決しようとする課題】
【００１２】
ここで、特許文献１に記載された技術などでは、入力色空間の画像データと出力色空間の画像データとを直接対応付けたデバイスリンクプロファイルが必要となる。しかし、ＰＳの言語仕様では、入力色空間の画像データと共通色空間の画像データとの対応関係が定義されたパラメータ（ＣＩＥＢａｓｅｄＡＢＣパラメータ１０）と、共通色空間の画像データと出力色空間の画像データとの対応関係が定義されたパラメータ（ＣＲＤパラメータ１１）とを指定することが前提とされており、デバイスリンクプロファイルに相当するパラメータは形式の使用は予定されていない。このため、高精度な色変換が要求される場合には、ページデータを作成する前段階で、デジタルカメラで取得された撮影画像データや、コンピュータを使って生成されたグラフィック画像データなどに対してデバイスリンクプロファイルを使った色変換処理が逐一施されており、効率が悪いうえ、せっかくＰＳ用の色変換装置に用意されている色変換機能が利用されずに無駄になってしまっているのが現状である。
【００１３】
本発明は、上記事情に鑑み、ＰＳ用の色変換装置に標準的に用意されている色変換機能を使って、原画像の色を高精度に再現することができるパラメータ提供装置、色変換システム、パラメータ提供プログラム、および色変換プログラムを提供することを目的とする。
【課題を解決するための手段】
【００１４】
上記目的を達成する本発明のパラメータ提供装置は、第１のデバイスに依存した第１の色空間と第１の色空間と同じ次元の同次元色空間との間の座標変換を所定の第１形式で定義した第１のパラメータと、同次元色空間と第２のデバイスに依存した第２の色空間との間の座標変換を所定の第２形式で定義した第２のパラメータとの提供を受けて、第１の色空間で色が定義された入力画像データを第２の色空間で色が定義された出力画像データに変換する色変換装置に、第１のパラメータと第２のパラメータとを提供するパラメータ提供装置において、
第１の色空間と第２の色空間との間の直接的な座標変換を定義した直接パラメータを取得するパラメータ取得部と、
第１の色空間の座標の恒等変換を第１形式で定義した恒等パラメータを色変換装置に第１のパラメータに替えて提供する第１の提供部と、
パラメータ取得部で取得された直接パラメータの形式を第２形式に変換し、その変換した直接パラメータを色変換装置に第２のパラメータに替えて提供する第２の提供部とを備えたことを特徴とする。
【００１５】
本発明のパラメータ提供装置によると、第１の色空間と同次元色空間との間の座標変換を第１形式で定義した第１のパラメータに替えて、第１の色空間の座標の恒等変換をその第１形式で定義した恒等パラメータが提供され、同次元色空間と第２の色空間との間の座標変換を所定の第２形式で定義した第２のパラメータに替えて、第１の色空間と第２の色空間との間の直接的な座標変換をその第２形式で定義した直接パラメータが提供され、その結果、色変換装置においては、恒等パラメータによって第１の色空間の座標がそのまま同じ第１の色空間の座標に変換され、直接パラメータによって第１の色空間の座標が第２の色空間の座標に変換される。ＰＳの言語仕様においては、第１のパラメータと第２のパラメータに対応したＣＩＥＢａｓｅｄＡＢＣパラメータとＣＲＤパラメータとを指定することが求められているので、恒等パラメータが第１形式で定義され、直接パラメータの一種であるデバイスリンクプロファイルが第２形式で定義されることにより、ＰＳ用の色変換装置でデバイスリンクプロファイルが利用可能となり、色変換装置を変更せずにそのまま流用して高精度な色再現を実現することができる。
【００１６】
また、本発明のパラメータ提供装置において、「複数の直接パラメータのうち１つの直接パラメータを操作に応じて選択する直接パラメータ選択部を備え、
上記パラメータ取得部は、直接パラメータ選択部で選択された直接パラメータを取得するものである」という形態は好ましい。
【００１７】
通常、色変換装置には、スキャナなどといった画像入力装置に依存した入力色空間と、プリンタなどといった画像出力装置に依存した出力色空間との間の直接的な座標変換を定義したデバイスリンクプロファイルが、画像入力装置と画像出力装置とのペアごとに用意されている。直接パラメータ取得部を備えたパラメータ提供装置によると、オペレータは、複数のデバイスリンクプロファイルの中から、画像を取得する画像入力装置と、画像を出力する画像出力装置とのペアに対応したデバイスリンクプロファイルを選択することによって、所望の色変換を実行させるための直接パラメータを容易に指定することができる。
【００１８】
また、本発明のパラメータ提供装置において、「第１の色空間と、第１の色空間と同じ次元であってデバイスに非依存な第３の色空間との間の座標変換を定義した第３のパラメータを操作に応じて選択する第３パラメータ選択部と、
第３の色空間と第２の色空間との間の座標変換を定義した第４のパラメータを操作に応じて選択する第４パラメータ選択部と、
第３パラメータ選択部で設定された第３パラメータと、第４パラメータ選択部で設定された第４パラメータとに基づいて直接パラメータを生成する直接パラメータ生成部とを備え、
上記パラメータ取得部は、直接パラメータ生成部で生成された直接パラメータを取得するものである」という形態は好ましい。
【００１９】
ＰＳの言語仕様においては、色変換処理を指示するのにあたり、上記第１のパラメータに相当するパラメータと、上記第２のパラメータに相当するパラメータとを指定することが求められており、従来は、ＰＳ用の色変換装置に、それらのパラメータがユーザの選択によって提供されている。ところで、第３のパラメータは、第１のパラメータと同様に、第１の色空間とデバイスに非依存な色空間との間の座標変換を定義したものであり、第４のパラメータは、第２のパラメータと同様に、デバイスに非依存な色空間と第２の色空間との間の座標変換を定義したものであるため、第１のパラメータと第３のパラメータ、および第２のパラメータと第４のパラメータは、ユーザにとって感覚的に似ているものである。直接パラメータ生成部が備えられたパラメータ提供装置によると、ユーザは、第１パラメータと第２パラメータとを選択する感覚で第３パラメータと第４パラメータとを操作に応じて選択すればよく、機能の変更を意識することなく、高精度な色再現を実現することができる。
【００２０】
また、上記目的を達成する本発明の色変換システムは、第１のデバイスに依存した第１の色空間と該第１の色空間と同じ次元の同次元色空間との間の座標変換を所定の第１形式で定義した第１のパラメータの提供を受ける第１の受付部と、
前記同次元色空間と第２のデバイスに依存した第２の色空間との間の座標変換を所定の第２形式で定義した第２のパラメータとの提供を受ける第２の受付部と、
第１の受付部が提供を受けたパラメータを使って、第１の色空間で色が定義された入力画像データを同次元色空間で色が定義された中間画像データに変換する第１の色変換部と、
第２の受付部が提供を受けたパラメータを使って、中間画像データを第２の色空間で色が定義された出力画像データに変換する第２の色変換部と、
第１の色空間と第２の色空間との間の直接的な座標変換を定義した直接パラメータを取得するパラメータ取得部と、
第１の色空間の座標の恒等変換を第１形式で定義した恒等パラメータを第１の受付部に第１のパラメータに替えて提供する第１の提供部と、
パラメータ取得部で取得された直接パラメータの形式を第２形式に変換し、その変換した直接パラメータを第２の受付部に第２のパラメータに替えて提供する第２の提供部とを備えたことを特徴とする。
【００２１】
本発明の色変換システムによると、第１の色空間と第２の色空間との間の直接的な座標変換を定義した直接パラメータが例えばＰＳ言語仕様に合った形式で色変換部に提供され、原画像の色を高精度に再現することができる。
【００２２】
尚、色変換システムについては、ここではその基本形態のみを示すのにとどめるが、これは単に重複を避けるためであり、本発明にいう色変換システムには、上記の基本形態のみではなく、前述したパラメータ提供装置の各形態に対応する各種の形態が含まれる。
【００２３】
また、上記目的を達成する本発明のパラメータ提供プログラムは、コンピュータ内で実行され、コンピュータ上で、第１のデバイスに依存した第１の色空間と第１の色空間と同じ次元の同次元色空間との間の座標変換を所定の第１形式で定義した第１のパラメータと、同次元色空間と第２のデバイスに依存した第２の色空間との間の座標変換を所定の第２形式で定義した第２のパラメータとの提供を受けて、第１の色空間で色が定義された入力画像データを第２の色空間で色が定義された出力画像データに変換する色変換装置に、第１のパラメータと第２のパラメータとを提供するパラメータ提供装置を構築するパラメータ提供プログラムにおいて、
第１の色空間と第２の色空間との間の直接的な座標変換を定義した直接パラメータを取得するパラメータ取得部と、
第１の色空間の座標の恒等変換を第１形式で定義した恒等パラメータを色変換装置に第１のパラメータに替えて提供する第１の提供部と、
パラメータ取得部で取得された直接パラメータの形式を第２形式に変換し、その変換した直接パラメータを色変換装置に第２のパラメータに替えて提供する第２の提供部とを構築することを特徴とする。
【００２４】
本発明のパラメータ提供プログラムによると、色変換装置に、原画像の色を高精度に再現するためのパラメータを提供することができる。
【００２５】
尚、パラメータ提供プログラムについても、ここではその基本形態のみを示すのにとどめるが、これは単に重複を避けるためであり、本発明にいうパラメータ提供プログラムには、上記の基本形態のみではなく、前述したパラメータ提供装置の各形態に対応する各種の形態が含まれる。
【００２６】
また、本発明のパラメータ提供プログラムがコンピュータシステム上に構築するパラメータ取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【００２７】
また、上記目的を達成する本発明の色変換プログラムは、コンピュータ内で実行され、コンピュータ上で、
第１のデバイスに依存した第１の色空間と第１の色空間と同じ次元の同次元色空間との間の座標変換を所定の第１形式で定義した第１のパラメータの提供を受ける第１の受付部と、
同次元色空間と第２のデバイスに依存した第２の色空間との間の座標変換を所定の第２形式で定義した第２のパラメータとの提供を受ける第２の受付部と、
第１の受付部が提供を受けたパラメータを使って、第１の色空間で色が定義された入力画像データを同次元色空間で色が定義された中間画像データに変換する第１の色変換部と、
第２の受付部が提供を受けたパラメータを使って、中間画像データを第２の色空間で色が定義された出力画像データに変換する第２の色変換部と、
第１の色空間と第２の色空間との間の直接的な座標変換を定義した直接パラメータを取得するパラメータ取得部と、
第１の色空間の座標の恒等変換を第１形式で定義した恒等パラメータを第１の受付部に第１のパラメータに替えて提供する第１の提供部と、
パラメータ取得部で取得された直接パラメータの形式を第２形式に変換し、その変換した直接パラメータを第２の受付部に第２のパラメータに替えて提供する第２の提供部とを構築することを特徴とする。
【００２８】
本発明の色変換プログラムによると、入力画像データを高精度に出力画像データに変換することができる。
【００２９】
尚、色変換プログラムについても、ここではその基本形態のみを示すのにとどめるが、これは単に重複を避けるためであり、本発明にいう色変換プログラムには、上記の基本形態のみではなく、前述したパラメータ提供装置の各形態に対応する各種の形態が含まれる。
【００３０】
また、本発明の色変換プログラムがコンピュータシステム上に構築するパラメータ取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【発明の効果】
【００３１】
以上説明したように、本発明によれば、ＰＳに標準的に用意されている色変換機能を使って、原画像の色を高精度に再現することができるパラメータ提供装置、色変換システム、パラメータ提供プログラム、および色変換プログラムが得られる。
【発明を実施するための最良の形態】
【００３２】
以下図面を参照して本発明の実施の形態を説明する。
【００３３】
図２は、本発明の一実施形態が組み込まれた画像出力システムを示す図である。
【００３４】
図２に示す画像出力システムでは、クライアント装置３００と、プリントプリンタサーバ装置１００と、プリンタ２０２とが通信網２０で接続されており、クライアント装置３００には、スキャナ２０１も接続されている。
【００３５】
スキャナ２０１は、Ｒ，Ｇ，Ｂ３色の光を使って原画像を読み取って、ＲＧＢ色空間の原画像データを生成する。このスキャナ２０１は、本発明にいう第１のデバイスの一例にあたり、ＲＧＢ色空間は、本発明にいう第１の色空間の一例に相当する。生成された原画像データは、クライアント装置３００に伝えられる。
【００３６】
クライアント装置３００には、スキャナ２０１で原画像が読み取られて生成された原画像データや、デジタルカメラ（図示しない）で被写体が撮影されて生成された撮影画像データなどが入力される。クライアント装置３００では、オペレータによって、入力された画像データが表わす画像を含むページが編集され、編集されたページのイメージを表わす入力画像データが生成される。この入力画像データは、ページのイメージが、そのページを構成する文字や画像といった部品集合で表現されたものであり、例えば、スキャナ２０１で読み取られた画像を表わす、スキャナ２０１に依存したＲＧＢ色空間で色が表現された画像データや、デジタルカメラ（図示しない）で被写体が撮影された撮影画像を表わす、デジタルカメラに依存したＲＧＢ色空間で色が表現された画像データなど、様々な入力色空間の画像データで構成されている。説明の便宜上、本実施形態においては、ページを記述するページ記述言語としてＰＳが適用され、入力画像データは、スキャナ２０１で生成されたＲＧＢ色空間の画像データのみで構成されたページデータであるものとして説明する。編集が終了すると、オペレータによって、入力画像データに基づく画像をプリント出力するプリント指示が入力され、クライアント装置３００は、プリント指示と入力画像データとをプリンタサーバ装置１００に向けて送る。
【００３７】
プリンタサーバ装置１００は、クライアント装置３００から入力画像データを受け取って、その入力画像データをプリンタ２０２用の、ラスタイメージでページを表現した出力画像データに変換する。本実施形態においては、プリンタ２０２は、Ｃ，Ｍ，Ｙ，Ｋ４色の色材で画像を出力するものであり、プリンタサーバ装置１００では、ＲＧＢ色空間の入力画像データをＣＭＹＫ色空間の出力画像データに変換するものであるとして説明する。変換後の出力画像データは、プリンタ２０２に送られる。尚、入力画像データは、クライアント装置３００から通信網２０を介して受け取られる以外に、ＣＤ−Ｒ（Ｃｏｍｐａｃｔ  Ｄｉｓｃ  Ｒｅｃｏｒｄａｂｌｅ）やＭＯ（光磁気）ディスク等といった記憶媒体が用いられて受け取られてもよい。
【００３８】
プリンタ２０２は、プリンタサーバ装置１００から出力画像データが送られてくると、その出力画像データが表わすページをプリント出力する。このプリンタ２０２は、本発明にいう第２のデバイスの一例にあたり、プリンタ２０２に依存したＣＭＹＫ色空間は、本発明にいう第２の色空間の一例に相当する。
【００３９】
ここで、この図２に示す画像出力システムにおける、本発明の一実施形態としての特徴は、主に、プリンタサーバ装置１００の内部で実行される処理内容にあり、以下では、このプリンタサーバ装置１００について説明する。
【００４０】
図２に示すプリンタサーバ装置１００は、外観構成上、本体装置１０１、その本体装置１０１からの指示に応じて表示画面上に画像を表示する画像表示装置１０２、本体装置１０１に、キー操作に応じた各種の情報を入力するキーボード１０３、および、表示画面上の任意の位置を指定することにより、その位置に表示されたアイコン等に応じた指示を入力するマウス１０４を備えている。また、本体装置１０１は、外観上、フレキシブルディスク（以下では、ＦＤと省略する）を装填するためのＦＤ装填口、およびＣＤ−ＲＯＭを装填するためのＣＤ−ＲＯＭ装填口を有する。
【００４１】
図３は、プリンタサーバ装置１００のハードウエア構成図である。
【００４２】
本体装置１０１の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＦＤ４００が装填され、その装填されたＦＤ４００をアクセスするＦＤドライブ１１４、ＣＤ−ＲＯＭ４１０をアクセスするＣＤ−ＲＯＭドライブ１１５、図２のクライアント装置３００と接続され、クライアント装置３００から画像データ等を受け取る入力インタフェース１１６、図２のプリンタ２０２と接続され、プリンタ２０２に画像データを送る出力インタフェース１１７が内蔵されており、これらの各種要素と、さらに図２にも示す画像表示装置１０２、キーボード１０３、およびマウス１０４は、バス１０５を介して相互に接続されている。
【００４３】
ここで、ＣＤ−ＲＯＭ４１０には、本発明のパラメータ提供プログラムの一実施形態が組み込まれ、色変換プログラムの一実施形態であるプリンタサーバプログラムが記憶されている。そのＣＤ−ＲＯＭ４１０はＣＤ−ＲＯＭドライブ１１５に装填され、そのＣＤ−ＲＯＭ４１０に記憶されたプリンタサーバプログラムがこのプリンタサーバ装置１００にアップロードされてハードディスク装置１１３に記憶される。そして、このプリンタサーバプログラムが起動されて実行されることにより、プリンタサーバ装置１００内に、本発明のパラメータ提供装置の一実施形態が組み込まれた、本発明の色変換システムの一実施形態が構築される。
【００４４】
尚、上記では、プリンタサーバプログラムを記憶する記憶媒体としてＣＤ−ＲＯＭ４１０が例示されているが、本発明のパラメータ提供プログラム、および色変換プログラムを記憶する記憶媒体はＣＤ−ＲＯＭに限られるものではなく、それ以外の光ディスク、ＭＯ、ＦＤ、磁気テープなどの記憶媒体であってもよい。また、本発明のパラメータ提供プログラム、および色変換プログラムは、記憶媒体を介さずに、入力インタフェース１１６を介して直接にプリンタサーバ装置１００に供給されるものであってもよい。
【００４５】
次に、プリンタサーバプログラムについて説明する。
【００４６】
図４は、プリンタサーバプログラムが記憶されたＣＤ−ＲＯＭ４１０を示す概念図である。
【００４７】
図４に示すように、ＣＤ−ＲＯＭ４１０に記憶されたプリンタサーバプログラム５００は、入力部５１０、ジョブ制御部５２０、プロファイル作成部５３０、指示ＰＳ生成部５４０、および色変換部５５０で構成されている。
【００４８】
プリンタサーバプログラム５００の各部の詳細については、プリンタサーバ装置１００の各部の作用と一緒に説明する。
【００４９】
図５は、プリンタサーバ装置１００の機能ブロック図である。
【００５０】
プリンタサーバ装置１００には、入力部１２１と、ジョブ制御部１２２と、プロファイル作成部１２３と、指示ＰＳ生成部１２４と、色変換部１２５とが備えられている。
【００５１】
プリンタサーバ装置１００を構成する、入力部１２１と、ジョブ制御部１２２と、プロファイル作成部１２３と、指示ＰＳ生成部１２４と、色変換部１２５は、図４に示すプリンタサーバプログラム５００を構成する、入力部５１０、ジョブ制御部５２０、プロファイル作成部５３０、指示ＰＳ生成部５４０、色変換部５５０にそれぞれ対応する。
【００５２】
図５に示すプリンタサーバ装置１００の各要素は、図４に示すプリンタサーバプログラム５００の各要素によってコンピュータ上に構築されたものであり、コンピュータのハードウェアとそのコンピュータで実行されるＯＳやアプリケーションプログラムとの組合せで構成されているのに対し、図４に示すプリンタサーバプログラム５００の各要素は、それらのうちのアプリケーションプログラムのみにより構成されている点が異なる。
【００５３】
図５に示す指示ＰＳ生成部１２４は、本発明のパラメータ提供装置の一実施形態にあたり、指示ＰＳ生成部１２４と色変換部１２５とを合わせたものは、本発明の色変換システムの一実施形態に相当する。
【００５４】
以下、図５に示すプリンタサーバ装置１００の各要素を説明することによって、図４に示すプリンタサーバプログラム５００の各要素も併せて説明する。
【００５５】
図１を使って説明したように、ＰＳの言語仕様では、色変換処理を実行するためのパラメータとして、入力色空間の画像データと共通色空間の画像データとの対応関係を所定のパラメータ形式（後述する）で定義したＣＩＥＢａｓｅｄＡＢＣパラメータ１０と、共通色空間の画像データと出力色空間の画像データとの対応関係を所定のパラメータ形式（後述する）で定義したＣＲＤパラメータ１１とを指定することが求められている。しかし、高精度な色変換処理を実現するためには、入力色空間の画像データを、共通色空間を介さずに直接に出力色空間の画像データに変換することが必要である。本実施形態のプリンタサーバ装置１００では、ＣＩＥＢａｓｅｄＡＢＣパラメータ１０およびＣＲＤパラメータ１１それぞれと同じパラメータ形式で定義された２つのパラメータを使って、入力色空間の画像データを直接に出力色空間の画像データに変換することが行われる。
【００５６】
クライアント装置３００からプリンタサーバ装置１００には、入力画像データと、入力画像データに基づいて画像をプリント出力するプリント指示とが送られてくる。入力画像データは、図５に示す入力部１２１で取得され、プリント指示は、ジョブ制御部１２２で取得される。
【００５７】
プリンタサーバ装置１００では、複数のクライアント装置３００それぞれから複数のプリント指示が入力され、それら複数のプリント指示それぞれに従って画像をプリント出力するジョブが実行される。ジョブ制御部１２２は、クライアント装置３００からプリント指示が送られてくると、プリント指示に従って画像をプリント出力するジョブに対してジョブＩＤを割り当て、そのジョブの優先度や、ジョブを実行する際の処理手順などが示されたジョブチケットを編集する。プリンタサーバ装置１００では、このジョブチケットに示された優先順位や処理手順に従ってジョブが実行される。編集されたジョブチケットは、ジョブＩＤと対応付けて登録される。
【００５８】
入力部１２１は、クライアント装置３００から送られてきた入力画像データを、色変換部１２５に伝える。
【００５９】
このプリンタサーバ装置１００には、クライアント装置３００に画像データを入力するスキャナ２０１等に依存した入力色空間（例えば、ＲＧＢ色空間）の画像データと、デバイスに非依存な共通色空間（例えば、ＸＹＺ色空間）の画像データとの対応関係を示す入力プロファイル、共通色空間の画像データと、画像を出力するプリンタ２０２等に依存した出力色空間（例えば、ＣＭＹＫ色空間）の画像データとの対応関係を示す出力プロファイル、および入力色空間の画像データと出力色空間の画像データとの直接的な対応関係を示すデバイスリンクプロファイルが複数保存されている。また、プリンタサーバ装置１００には、それぞれに複数記憶された入力プロファイル、出力プロファイル、およびデバイスリンクプロファイルの中から、１セットの入力プロファイルと出力プロファイルの組み合わせ、あるいは１つのデバイスリンクプロファイルを選択するための選択画面が用意されている。
【００６０】
ここでは、一旦図５の説明を中断し、各種プロファイルの選択について説明する。
【００６１】
図６は、プロファイル選択画面の一例を示す図である。
【００６２】
プロファイル選択画面６００には、入力プロファイルを選択するための入力プロファイル選択部６１０、出力プロファイルを選択するための出力プロファイル選択部６２０、およびデバイスリンクプロファイルを選択するためのデバイスリンクプロファイル選択部６３０が備えられている。各選択部６１０，６２０，６３０には、クライアント装置３００から送られてくる入力画像データに各種プロファイルが付加されている場合に、その付加されたプロファイルを優先的に使用するためのチェックボックス６１１，６２１，６３１と、プリンタサーバ装置１００に予め保存されている各種プロファイルの中から所望のプロファイルを選択するための選択ボックス６１２，６２２，６３２が備えられている。
【００６３】
入力プロファイルと出力プロファイルとの組み合わせを選択する場合は、オペレータは、マウス１０４やキーボード１０３を使って、入力−出力ラジオボタン６４１を指定するとともに、入力プロファイル選択部６１０および出力プロファイル選択部６２０それぞれの選択ボックス６１２，６２２で、所望の画像入力装置（本実施形態では、スキャナ２０１）に対応する入力プロファイルと、所望の画像出力装置（本実施形態では、プリンタ２０２）に対応する出力プロファイルを指定する。また、デバイスリンクプロファイルを選択する場合には、デバイスリンクラジオボタン６４２を指定するとともに、デバイスリンクプロファイル選択部６３０の選択ボックス６３２で、所望の画像入力装置（本実施形態では、スキャナ２０１）および画像出力装置（本実施形態では、プリンタ２０２）に対応するデバイスリンクプロファイルを指定する。指定内容は、図５に示すプロファイル作成部１２３、および指示ＰＳ生成部１２４に伝えられる。マウス１０４、およびキーボード１０３は、本発明にいう直接パラメータ選択部の一例に相当する。
【００６４】
このように、予め複数のプロファイルを用意しておき、それらの中から、スキャナ２０１とプリンタ２０２とのセットに対応するプロファイルを選択することによって、オペレータは、色変換処理に関する高度な知識を必要とせずに、容易に色変換処理を実行させることができる。
【００６５】
図５に戻って説明する。
【００６６】
オペレータによって入力プロファイルと出力プロファイルとの組み合わせが選択された場合には、それらのプロファイルはプロファイル作成部１２３に伝えられ、プロファイル作成部１２３においてデバイスリンクプロファイルが生成される。スキャナ２０１の色再現領域（入力ガマット）とプリンタ２０２の色再現領域（出力ガマット）とは一般的には一致しないため、入力プロファイルと出力プロファイルとを単純に連結してしまうと、階調つぶれやトーンジャンプなどが生じてしまう恐れがある。プロファイル作成部１２３では、入力色空間で表現された色のうち入力ガマットと出力ガマットとの共通領域の中央部分に含まれる色は「等色」を重視して出力色空間で表現された色に変換し、入力色空間で表現された色のうち中央部分を除く領域の色は「階調」を重視して出力色空間で表現された色に変換するためのデバイスリンクプロファイルが生成される。尚、デバイスリンクプロファイルの生成は、従来から広く行われている技術であるため、本明細書では詳細な説明を省略する。生成されたデバイスリンクプロファイルは、指示ＰＳ生成部１２４に伝えられる。
【００６７】
指示ＰＳ生成部１２４は、第１パラメータ提供部１２４３、パラメータ取得部１２４１、第２パラメータ提供部１２４２、およびＰＳ生成部１２４４で構成されている。
【００６８】
ＰＳの言語仕様においては、図１に示すＣＩＥＢａｓｅｄＡＢＣパラメータ１０の最低限必要な記述形式が以下のように決められている。
【００６９】
［／ＣＩＥＢａｓｅｄＡＢＣ  ＜＜／ＷｈｉｔｅＰｏｉｎｔ  ［ｘ  ｙ  ｚ］＞＞］
この記述は、入力色空間（ＲＧＢ色空間）を、ホワイトポイントの座標を［ｘ  ｙ  ｚ］に合わせて共通色空間に変換する指示を示すものであり、従来は、入力プロファイルに基づいて［ｘ  ｙ  ｚ］に共通色空間のホワイトポイントの座標が指定されて、ＣＩＥＢａｓｅｄＡＢＣパラメータ１０が生成される。ＣＩＥＢａｓｅｄＡＢＣパラメータ１０によると、図１に示すように、ＲＧＢ色空間の画像データがＸＹＺ色空間の画像データに変換される。
【００７０】
第１パラメータ提供部１２４３は、ＣＩＥＢａｓｅｄＡＢＣパラメータ１０の替わりに、上述した記述中の［ｘ  ｙ  ｚ］に［１  １  １］を指定した恒等パラメータを生成し、生成した恒等パラメータをＰＳ生成部１２４４に伝える。この恒等パラメータは、ＲＧＢ色空間の白点の座標が［１  １  １］であることに由来しており、入力色空間を、ホワイトポイントの座標を維持したまま共通色空間に変換する指示を示す、すなわち、共通色空間が入力色空間そのものとなる恒等変換を定義したものである。恒等パラメータによると、ＲＧＢ色空間の入力画像データが、同じ値の画像データに恒等変換される。第１パラメータ提供部１２４３は、本発明にいう第１の提供部の一例に相当する。
【００７１】
パラメータ取得部１２４１は、オペレータによって指定されたデバイスリンクプロファイル、あるいはプロファイル作成部１２３で生成されたデバイスリンクプロファイルを取得する。取得されたデバイスリンクプロファイルは、第２パラメータ提供部１２４２に伝えられる。パラメータ取得部１２４１は、本発明にいうパラメータ取得部の一例に相当する。
【００７２】
ＰＳの言語仕様においては、図１に示すＣＲＤパラメータ１１の記述形式が、以下のようなサブパラメータの集合として決められている。
【００７３】
（１）「ＭａｔｒｉｘＡＢＣ」と称される３次元×３次元マトリクス
（２）「ＥｎｃｏｄｅＡＢＣ」と称される３つの１次元ＬＵＴ
（３）「ＲｅｎｄｅｒＴａｂｌｅ」と称される３次元ＬＵＴと１次元ＬＵＴ
従来は、出力プロファイルに基づいてこれらのサブパラメータが取得されて、ＣＲＤパラメータ１１が生成される。このＣＲＤパラメータ１１によって、図１に示すように、ＸＹＺ色空間の画像データがＣＭＹＫ色空間の画像データに変換される。
【００７４】
一方、デバイスリンクプロファイルには、入力色空間の３つの成分から出力色空間の４つの成分への色変換が以下のように記述されている。
【００７５】
（１´）３次元×３次元マトリクスによる線形変換
（２´）（１´）の線形変換によって得られた３つの成分それぞれに対応した３つの１次元ＬＵＴによる変換
（３´−１）３つの成分からなる入力値に対し４つの成分からなる出力値を持つＬＵＴによる３次元−４次元変換
（３´−２）（３´−１）の３次元−４次元変換で得られた４つの成分それぞれに対応した４つの１次元ＬＵＴによる変換
第２パラメータ提供部１２４２は、パラメータ取得部１２４１から送られてきたデバイスリンクプロファイルから（１´）、（２´）、（３´−１）、（３´−２）に示す各ＬＵＴ等を取得する。さらに、第２パラメータ提供部１２４２は、（１）に示す「ＭａｔｒｉｘＡＢＣ」パラメータとして（１´）に示す３次元×３次元マトリクスを指定し、（２）に示す「ＥｎｃｏｄｅＡＢＣ」として（２´）に示す３つの１次元ＬＵＴを指定し、（３）に示す「ＲｅｎｄｅｒＴａｂｌｅ」として（３´−１）に示す３次元ＬＵＴと（３´−２）に示す４つの１次元ＬＵＴを指定して直接パラメータを生成し、生成した直接パラメータを図１に示すＣＲＤパラメータ１１の替わりにＰＳ生成部１２４４に伝える。この直接パラメータは、入力色空間と出力色空間との間の直接的な座標変換を定義したものであり、この直接パラメータによると、ＲＧＢ色空間の入力画像データが、ＣＭＹＫ色空間の出力画像データに直接に変換される。第２パラメータ提供部１２４２は、本発明にいう第２の提供部の一例に相当する。
【００７６】
ＰＳ生成部１２４４は、第１パラメータ提供部１２４３から伝えられた恒等パラメータ、および第２パラメータ提供部１２４２から伝えられた直接パラメータを使って色変換処理を実行する指示ＰＳを生成する。生成された指示ＰＳは、色変換部１２５に伝えられる。
【００７７】
色変換部１２５は、指示ＰＳ受付部１２５１、データ取得部１２５２、第１変換部１２５３、第２変換部１２５４、およびラスタ変換部１２５５で構成されている。
【００７８】
データ取得部１２５２は、入力部１２１から伝えられた入力画像データを取得し、第１変換部１２５３に入力画像データを伝える。
【００７９】
指示ＰＳ受付部１２５１は、指示ＰＳ生成部１２４で生成された指示ＰＳを取得する。指示ＰＳには、恒等パラメータ、および直接パラメータが含まれており、指示ＰＳ受付部１２５１は、本発明にいう第１の受付部、および第２の受付部それぞれの一例に相当する。色変換部１２５では、この指示ＰＳに従って処理が実行される。
【００８０】
図７は、色変換部１２５において実行される色変換処理の概念図である。
【００８１】
第１変換部１２５３は、指示ＰＳに従って、データ取得部１２５２から伝えられた入力画像データに対して、恒等パラメータ１２を使って色変換処理を施す。第１変換部１２５３では、恒等パラメータ１２によって、ＲＧＢ色空間の入力画像データがそのまま同じ値の画像データに変換される。図７に示すように、第１変換部１２５３では、実質はＲＧＢ色空間の入力画像データがそのまま恒等変換されているが、ＰＳ言語の形式上は、図１に示すような、ＲＧＢ色空間の画像データからＸＹＺ色空間の画像データへの変換と同等な変換となっている。
【００８２】
また、第２変換部１２５４は、第１変換部１２５３で変換された画像データに対し、指示ＰＳに含まれる直接パラメータ１３に従った色変換処理を施す。第２変換部１２５４では、直接パラメータ１３によって、３次元色空間の画像データがＣＭＹＫ色空間の画像データに変換される。図７に示すように、第２変換部１２５４では、実質はＲＧＢ色空間の入力画像データがＣＭＹＫ色空間の出力画像データに変換されているが、ＰＳ言語の形式上は、図１に示すような、ＸＹＺ色空間の画像データからＣＭＹＫ色空間の画像データへの変換と同等な変換となっている。これら第１変換部１２５３および第２変換部１２５４は、本発明にいう第１の色変換部および第２の色変換部の各一例に相当しており、これら第１変換部１２５３および第２変換部１２５４としては、従来のＰＳ用の色変換装置がそのまま流用可能である。変換後のＣＭＹＫ色空間の画像データは、ラスタ変換部１２５５に伝えられる。
【００８３】
上述したように、入力画像データは、印刷物のページのイメージが、そのページを構成する文字や画像といった部品集合で表現されたページデータであり、入力画像データが色変換されて生成された出力画像データも、複数の部品それぞれを表わす画像データの集合で構成されたページデータである。したがって、出力画像データは、このままでは、ページを走査線ごとに出力するプリンタ２０２などでは出力することができない。ラスタ変換部１２５５は、第２変換部１２５４から伝えられたＣＭＹＫ色空間の画像データをラスタ形式の画像データに変換する。
【００８４】
ラスタ形式に変換された画像データは、プリンタ２０２に向けて出力され、プリンタ２０２において、画像データが表わす画像がプリント出力される。
【００８５】
以上のように、本実施形態においては、ＰＳ用の色変換装置に標準的に用意されている色変換機能を使って、デバイスリンクプロファイルを使った高精度な色変換処理を実行することができる。
【００８６】
ここで、上記では、入力色空間としてＲＧＢ色空間を適用し、共通色空間としてＸＹＺ色空間を適用し、出力色空間としてＣＭＹＫ色空間を適用する例について説明したが、本発明にいう第１の色空間、同次元色空間、および第２の色空間は、第１の色空間の次元と同次元色空間の次元とが同じものであれば、これらには限らない。
【００８７】
また、上記では、入力デバイスとしてスキャナを適用し、出力デバイスとしてプリンタを適用する例について説明したが、本発明にいう第１のデバイスは、被写体を撮影するデジタルカメラなどであってもよく、本発明にいう第２のデバイスは、印刷機などであってもよい。
【００８８】
また、上記では、１つのプリンタサーバ装置１００内で、パラメータの提供と、色変換処理とを行う例について説明したが、本発明にいうパラメータ提供装置と色変換装置とは別々の装置上に構築されてもよい。
【図面の簡単な説明】
【００８９】
【図１】ページデータを出力画像データに変換する色変換機能の概要を示す図である。
【図２】本発明の一実施形態が組み込まれた画像出力システムを示す図である。
【図３】プリンタサーバ装置のハードウエア構成図である。
【図４】プリンタサーバプログラムが記憶されたＣＤ−ＲＯＭを示す概念図である。
【図５】プリンタサーバ装置の機能ブロック図である。
【図６】プロファイル選択画面の一例を示す図である。
【図７】色変換部において実行される色変換処理の概念図である。
【符号の説明】
【００９０】
１００    プリンタサーバ装置
１０１    本体装置
１０２    画像表示装置
１０３    キーボード
１０４    マウス
１０５    バス
１１１    ＣＰＵ
１１２    主メモリ
１１３    ハードディスク装置
１１４    ＦＤドライブ
１１５    ＣＤ−ＲＯＭドライブ
１１６    入力インタフェース
１１７    出力インタフェース
１２１    入力部
１２２    ジョブ制御部
１２３    プロファイル作成部
１２４    指示ＰＳ生成部
１２４１    パラメータ取得部
１２４２    第２パラメータ提供部
１２４３    第１パラメータ提供部
１２４４    ＰＳ生成部
１２５    色変換部
１２５１    指示ＰＳ受付部
１２５２    データ取得部
１２５３    第１変換部
１２５４    第２変換部
１２５５    ラスタ変換部
２０１    スキャナ
２０２    プリンタ
３００    クライアント装置
５００    プリンタサーバプログラム
５１０    入力部
５２０    ジョブ制御部
５３０    プロファイル作成部
５４０    指示ＰＳ生成部
５５０    色変換部
【図１】
0004685687.tif 000002
【図２】
0004685687.tif 000003
【図３】
0004685687.tif 000004
【図４】
0004685687.tif 000005
【図５】
0004685687.tif 000006
【図６】
0004685687.tif 000007
【図７】
0004685687.tif 000008